(57)【要約】【課題】インバータ装置１がＲ／Ｗ装置３からＩＣタグ２に発振される通信用電波の影響で誤動作することを防止すること。【解決手段】ＩＣタグ２はＲ／Ｗ装置３から発振される通信用電波を受信すると、通信用電波の受信結果に応じたレベルの電圧信号を生成し、電圧信号の生成結果がノイズ判定値を上回ることを検出したときにはインバータ装置１にノイズ情報を送信する。すると、インバータ装置１がノイズ情報を検出することに基づいて電磁接触器を作動させ、主電源を遮断する。このため、インバータ装置１がＲ／Ｗ装置３の使用時に自動的に停止するので、インバータ装置１がＲ／Ｗ装置３からＩＣタグ２に発振される通信用電波の影響で誤動作することがなくなる。【選択図】図１
2011072187.tif 000002
【特許請求の範囲】
【請求項１】
無線通信装置を備えたインバータ装置であって、
前記無線通信装置は、
電波を受信可能なアンテナと、
前記アンテナの受信状態に基づく電力信号を出力する信号出力手段と、
前記アンテナが受信する電波信号に基づいて電源を生成する電源生成手段と、
外部の無線通信機器から送信される電波信号を前記アンテナを通して受信することに基づいて電波情報を記録する電波情報記録手段と、
前記電波情報記録手段の記録結果を前記アンテナを通して外部の無線通信機器に送信する電波情報送信手段と、
を備え、
前記電力信号に基づいた電波情報に基づいて、前記外部の無線通信機器から前記無線通信装置に対して通信用電波が発振されたと判断した際に負荷の運転内容を制御する運転制御手段を備えたことを特徴とするインバータ装置。
【請求項２】
前記電力信号に基づいた電波情報に基づいて負荷への電力供給を遮断する電力供給遮断手段を備えたことを特徴とする請求項１に記載のインバータ装置。
【請求項３】
前記電力信号に基づいた電波情報に基づいて出力信号を外部に出力する外部信号出力手段を備えたことを特徴とする請求項１または２に記載のインバータ装置。
【発明の詳細な説明】
【技術分野】
【０００１】
本発明は、外部の無線通信機器に情報を電波で送信する無線通信装置を備えたインバータ装置に関する。
【背景技術】
【０００２】
上記無線通信装置の一例にＩＣタグと称されるものがある。このＩＣタグは製品の管理情報が記録された荷札に相当するものであり、ＩＣタグに記録された管理情報はＲ／Ｗ装置からＩＣタグに通信用電波を発振することに基づいて無線で検出可能にされている。
【先行技術文献】
【特許文献】
【０００３】
【特許文献１】特開２００３−０８７２６３号公報
【発明の概要】
【発明が解決しようとする課題】
【０００４】
上記構成の場合、ＩＣタグを電子機器に装着して使用するときにはＲ／Ｗ装置から発振される通信用電波が電子機器にノイズとして照射されるので、電子機器がノイズの影響で誤動作する虞がある。
本発明は上記事情に鑑みてなされたものであり、その目的は、電子機器が通信用電波の影響で誤動作することを防止できる無線通信装置を備えたインバータ装置を提供することにある。
【課題を解決するための手段】
【０００５】
請求項１に係るインバータ装置は、無線通信装置を備えたインバータ装置である。この無線通信装置は、電波を受信可能なアンテナと、アンテナの受信状態に基づく電力信号を出力する信号出力手段と、アンテナが受信する電波信号に基づいて電源を生成する電源生成手段と、外部の無線通信機器から送信される電波信号をアンテナを通して受信することに基づいて電波情報を記録する電波情報記録手段と、この電波情報記録手段の記録結果をアンテナを通して外部の無線通信機器に送信する電波情報送信手段とを備えている。請求項１に係るインバータ装置は、電力信号に基づいた電波情報に基づいて、外部の無線通信機器から無線通信装置に対して通信用電波が発振されたと判断した際に負荷の運転内容を制御する運転制御手段を備えている。
請求項１に係る発明は無線通信装置のアンテナが受信した電波に基づいて電波情報を取得し、電波情報の取得結果を外部に送信する。この電波情報とは電力信号の検出結果そのものを示す直接情報および電力信号の検出結果に基づいて生成される間接情報の双方を含む。
請求項１に係る発明は電波情報の記録結果をアンテナを通して外部の無線通信機器に送信する。この電波情報の送信処理は無線通信機器から送信される電波信号をアンテナを通して受信することに基づいて実行されるものであり、電波情報の記録結果は無線通信機器から電波信号を送信することに基づいて読出し可能にされている。
無線通信装置はインバータ装置に無線または有線で電気的に接続されていれば良く、機械的に装着されていても良く機械的に装着されていなくても良い。
請求項１に係る発明はインバータ装置が電波情報に基づいて負荷の運転内容を制御するものである。
請求項２に係る発明はインバータ装置が電波情報に基づいて負荷への電力供給を遮断するものである。
請求項３に係る発明はインバータ装置が電波情報に基づいて出力信号を外部に出力するものであり、出力信号は表示器・鳴動器・電飾器等の警報器を作動させるための警報信号（アラーム信号）を含む。
【発明の効果】
【０００６】
Ｒ／Ｗ装置等の外部機器から無線通信装置のアンテナに通信用電波が発振されたときにはアンテナの受信状態に基づく電力信号が出力され、電力信号に基づいた電波情報が記録される。このため、電波情報の記録結果に基づいてノイズの発生状況を識別し、発生状況の識別結果に応じた措置を講ずることができるので、通信用電波が照射されたインバータ装置がノイズの影響で誤動作することを防止できる。
【図面の簡単な説明】
【０００７】
【図１】本発明の実施例１を示す図（インバータ装置・ＩＣタグ・Ｒ／Ｗ装置の外観を示す図）
【図２】インバータ装置の電気的構成を示すブロック図
【図３】インバータ制御回路の処理内容を示すフローチャート
【図４】不揮発性メモリの記録内容を示す図
【図５】Ｒ／Ｗ装置の電気的構成を示すブロック図
【図６】ＩＣタグの電気的構成を示すブロック図
【図７】タグ制御回路の処理内容を示すフローチャート
【図８】本発明の実施例２を示す図（ＩＣタグの電気的構成を示すブロック図）
【図９】タグ制御回路の処理内容を示すフローチャート
【図１０】インバータ制御回路の処理内容を示すフローチャート
【図１１】本発明の実施例３を示す図（ＩＣタグの電気的構成を示すブロック図）
【図１２】インバータ制御回路の処理内容を示すフローチャート
【発明を実施するための形態】
【０００８】
【実施例１】
【０００９】
図１のインバータ装置１はモータを駆動制御するものであり、電子機器に相当する。このインバータ装置１には無線通信装置および電力検出装置に相当するＩＣタグ２が固定されている。このＩＣタグ２はインバータ装置１から駆動電源および管理情報が有線で送信されるものであり、管理情報を受信することに基づいて管理情報の受信結果を自身の不揮発性メモリに格納する。この管理情報はインバータ装置１が保有する内部情報を称するものであり、インバータ装置１の運転情報およびトリップ情報を含んでいる。
【００１０】
Ｒ／Ｗ装置３は外部の無線通信機器に相当するものであり、ＩＣタグ２の駆動電源はＩＣタグ２がＲ／Ｗ装置３から発振される通信用電波に基づいて自ら生成することも可能である。即ち、ＩＣタグ２の不揮発性メモリに格納された管理情報はＲ／Ｗ装置３を使用することに基づいてインバータ装置１の電源有効状態および電源無効状態のいずれでも外部から取得可能にされている。
【００１１】
ＩＣタグ２はインバータ装置１の保護機能を有している。この保護機能とはテレビやカメラや携帯電話等から飛来するノイズ・周辺のインバータ装置から飛来するノイズ・インバータ装置１の自身の電源コード等から飛来するノイズ等を検出し、インバータ装置１にノイズ情報を有線で送信する機能であり、インバータ装置１はＩＣタグ２からのノイズ情報を検出することに基づいてノイズ対策措置を自ら講ずる。このノイズ情報はＩＣタグ２の管理情報をＲ／Ｗ装置３で読出すときにもＩＣタグ２からインバータ装置１に送信されるものであり、インバータ装置１の運転中にＲ／Ｗ装置３を使用したときにはインバータ装置１がＩＣタグ２からのノイズ情報を検出することに基づいて同様の措置を講ずる。以下、インバータ装置１〜Ｒ／Ｗ装置３の詳細構成について説明する。
【００１２】
１．インバータ装置１の説明
インバータケース１１内には、図２に示すように、主回路１２が収納されている。この主回路１２は主電源回路１３とインバータ主回路１４とインバータ制御回路１５とドライブ回路１６と電流センサ１７と電流検出回路１８と電圧検出回路１９を有するものであり、主電源回路１３は主電源を整流平滑することに基づいて直流電源を生成する。この主電源回路１３は電磁接触器２０を介して３相の交流電源２１に接続されており、主電源回路１３には電磁接触器２０を通して３相の交流電源２１が主電源として与えられる。
【００１３】
インバータ主回路１４は６個のスイッチング素子を３相ブリッジ接続することから構成されたものであり、主電源回路１３が生成する直流電源をスイッチングすることに基づいて３相の駆動電源を生成する。このインバータ主回路１４には負荷に相当するモータ２２が接続されており、モータ２２はインバータ主回路１４から３相の駆動電源が印加されることに基づいて駆動する。
【００１４】
インバータ制御回路１５はマイクロコンピュータを主体に構成されたものであり、ＣＰＵ２３・ＲＯＭ２４・ＲＡＭ２５・ＥＥＰＲＯＭ２６を有している。このインバータ制御回路１５のＲＯＭ２４には制御プログラムが記録されており、インバータ制御回路１５のＣＰＵ２３は制御プログラムに基づいて後述の処理動作を実行する。尚、インバータ制御回路１５は運転制御手段，電力供給遮断手段・外部信号出力手段・トリップ手段，警報手段に相当するものである。
【００１５】
操作パネル２７はインバータケース１１に固定されたものである。この操作パネル２７には周波数キー２８とＲＵＮキー２９とＳＴＯＰキー３０が装着されており、周波数キー２８の操作時には操作パネル２７からインバータ制御回路１５に周波数キー２８の操作内容に応じた周波数指令が送信され、ＲＵＮキー２９の操作時およびＳＴＯＰキー３０の操作時には操作パネル２７からインバータ制御回路１５に運転指令および停止指令が送信される。
【００１６】
開閉回路３１はインバータケース１１内に収納されたものである。この開閉回路３１は電磁接触器２０の入力側で交流電源２１のＲ相およびＳ相に接続されたものであり、インバータ制御回路１５のＣＰＵ２３は操作パネル２７からの運転指令を検出することに基づいて開閉回路３１に電源投入信号を出力し、開閉回路３１は電源投入信号が与えられることに基づいて電磁接触器２０の励磁コイルを励磁する。この電磁接触器２０は励磁コイルの励磁状態で主電源の給電路を閉成するものであり、インバータ制御回路１５のＣＰＵ２３は操作パネル２７からの運転指令に基づいて主電源の給電路を閉成したときには操作パネル２７からの周波数指令に基づいてドライブ信号を生成し、ドライブ回路１６はドライブ信号の生成結果に基づいてインバータ主回路１４をスイッチングすることに基づいてモータ２２を周波数指令に応じた速度で運転する。即ち、主電源はＲＡＮキー２９の操作に連動して投入されるものであり、ＲＵＮキー２９はモータ２２の運転開始を指令するための操作手段に相当する。
【００１７】
インバータ制御回路１５のＣＰＵ２３は操作パネル２７からの停止指令を検出することに基づいてゲートブロック信号および電源遮断信号を生成し、ゲートブロック信号の生成結果および電源遮断信号の生成結果をドライブ回路１６および開閉回路３１に出力する。ゲートブロック信号はインバータ主回路１４の運転停止信号に相当するものであり、ドライブ回路１６はゲートブロック信号が与えられることに基づいてインバータ主回路１４のスイッチング素子をオフし、モータ２２の駆動電源を遮断する。電源遮断信号はトリップ信号に相当するものであり、開閉回路３１は電源遮断信号が与えられることに基づいて電磁接触器２０の励磁コイルを消拠し、電磁接触器２０は励磁コイルの消拠状態で主電源の給電路を開放する。即ち、主電源はＳＴＯＰキー３０の操作に連動して遮断されるものであり、ＳＴＯＰキー３０はモータ２２の運転停止を指令するための操作手段に相当する。
【００１８】
電流センサ１７は主電源回路１３の出力側で電流を検出するものであり、電流検出回路１８は電流センサ１７の検出結果に応じた電圧レベルの電流信号をインバータ制御回路１５に出力する。電圧検出回路１９は主電源回路１３の出力側の電圧値に応じた電圧レベルの電圧信号をインバータ制御回路１５に出力するものであり、インバータ制御回路１５のＣＰＵ２３は、下記１）〜４）に示すように、電流信号の入力結果および電圧信号の入力結果に基づいて内部的なトリップ原因の有無を判断する。そして、トリップ原因の発生を検出したときにはドライブ回路１６および開閉回路３１にゲートブロック信号および電源遮断信号を出力し、インバータ主回路１４および電磁接触器２０をオフすることに基づいてモータ２２をフリーラン状態から停止させる。
１）モータ２２が拘束されたときには電流信号が異常上昇するので、電流信号の上昇状態に基づいてトリップ原因「過電流」が判断される。
２）インバータ主回路１４でスイッチング素子のアーム短絡が発生したときには電流信号が過電流の発生時と異なる態様で異常上昇するので、電流信号の上昇状態に基づいてトリップ原因「アーム短絡」が判断される。
３）モータ２２の慣性モーメントが極端に大きいときには電圧信号が異常上昇するので、電圧信号の上昇状態に基づいてトリップ原因「モータ過負荷」が判断される。
４）モータ２２の減速時間が極端に短いときには電圧信号がモータ過負荷の発生時と異なる態様で異常上昇するので、電圧信号の上昇状態に基づいてトリップ原因「過電圧」が判断される。
【００１９】
操作パネル２７には警報器に相当する表示器３２が装着されており、トリップ時には表示器３２にトリップ原因の判断結果がアルファベットおよび数字の組合せ符号で表示される。この操作パネル２７には警報器に相当するブザー３３が装着されており、トリップ時にはブザー３３が鳴動することに基づいてトリップの発生が報知される。
【００２０】
インバータケース１１内には制御電源回路３４が収納されており、制御電源回路３４は電磁接触器２０の入力側で交流電源２１のＲ相およびＳ相に接続されている。この制御電源回路３４はインバータ制御回路１５用の制御電源と操作パネル２７用のパネル電源とＩＣタグ２用のタグ電源を生成するものであり、インバータ制御回路１５と操作パネル２７とＩＣタグ２にはインバータ主回路１４とは別経路で電源が印加される。即ち、インバータ制御回路１５およびＩＣタグ２はインバータ装置１のトリップ中にも制御プログラムを実行し、表示器３２およびブザー３３はトリップ中にも警報動作を継続する。
【００２１】
電磁接触器２０と交流電源２１との間には配線用遮断器３５が介在されている。この配線用遮断器３５はインバータケース１１内に収納されたものであり、過負荷電流および短絡電流を検出することに基づいて給電路を開放し、主電源を無効化する。
【００２２】
図３はインバータ制御回路１５のＲＯＭ２４に記録された制御プログラムを示すフローチャートである。以下、図３のフローチャートに基づいてインバータ制御回路１５の処理内容を説明する。インバータ制御回路１５のＣＰＵ２３は図３のステップＳ１でノイズ情報の有無を判断する。このノイズ情報はＩＣタグ２がノイズの発生を検出することに基づいて送信するものであり、ＣＰＵ２３はステップＳ１でノイズ情報が有ることを検出したときにはステップＳ２へ移行し、ノイズフラグをオンする。このノイズフラグは制御プログラムの起動時にオフ状態に初期設定されるものであり、ＣＰＵ２３はステップＳ２でノイズフラグをオンしたときにはステップＳ５へ移行する。
【００２３】
ＣＰＵ２３はステップＳ１でノイズ情報がないことを検出すると、ステップＳ３でノイズ解消情報の有無を判断する。このノイズ解消情報はＩＣタグ２がノイズの消滅を検出することに基づいて送信するものであり、ＣＰＵ２３はステップＳ３でノイズ解消情報が有ることを検出したときにはステップＳ４へ移行する。ここでノイズフラグをオフし、ステップＳ５へ移行する。即ち、ノイズフラグはノイズの有無を記録するものであり、デジタルカメラ等の周辺機器からノイズが放出された場合およびＲ／Ｗ装置３からＩＣタグ２に通信用電波が発振された場合にオンされる。
【００２４】
ＣＰＵ２３はステップＳ５へ移行すると、運転指令の有無を判断する。この運転指令はＲＵＮキー２９の操作に基づいて操作パネル２７から送信されるものであり、ＣＰＵ２３はステップＳ５で運転指令を検出したときにはステップＳ６へ移行し、ノイズフラグの設定状態を判断する。
【００２５】
ＣＰＵ２３はステップＳ６でノイズフラグがオンされていることを検出すると、ステップＳ７で表示器３２に表示信号を出力することに基づいて警告表示を行う。即ち、デジタルカメラ等の周辺機器からノイズが放出された状態およびＲ／Ｗ装置３からＩＣタグ２に通信用電波が発振された状態で使用者がＲＵＮキー２９を操作したときにはモータ２２の運転が開始されず、ＲＵＮキー２９の操作が無効化される。そして、表示器３２に警告表示が行われ、モータ２２をノイズの影響で運転開始できないことが使用者に報知される。
【００２６】
ＣＰＵ２３はステップＳ６でノイズフラグがオフされていることを検出すると、ステップＳ８で開閉回路３１に電源投入信号を出力することに基づいて主電源を投入し、モータ２２の運転を開始する。即ち、モータ２２はノイズが存在しないことを条件に運転開始される。
【００２７】
ＣＰＵ２３はステップＳ８でモータ２２の運転を開始すると、ステップＳ９でＥＥＰＲＯＭ２６から運転回数Ｎの格納結果を検出する。この運転回数Ｎはモータ２２の運転回数を累積的に加算した運転履歴に相当するものであり、ＣＰＵ２３はステップＳ９で運転回数Ｎの格納結果を検出したときには運転回数Ｎの検出結果に「１」を加算することに基づいて運転回数Ｎを更新し、ステップＳ１０へ移行する。
【００２８】
インバータ制御回路１５のＥＥＰＲＯＭ２６には、図４に示すように、複数の情報格納エリアが設定されている。これら各情報格納エリアには運転回数Ｎが割付けられており、インバータ制御回路１５のＣＰＵ２３は図３のステップＳ１０へ移行すると、運転回数Ｎの更新結果に応じた情報格納エリアに現在日時をモータ２２の運転開始日時として記録し、ステップＳ１１へ移行する。例えば運転回数Ｎの更新結果が「２」であるときには情報格納エリア「２」に現在日時が運転開始日時として記録される。
【００２９】
ＣＰＵ２３はステップＳ１１へ移行すると、ＥＥＰＲＯＭ２６から運転時間Ｔの格納結果を検出し、ステップＳ１２へ移行する。この運転時間Ｔはモータ２２の運転時間を累積的に加算した加算結果を称するものであり、複数の情報格納エリアのうち運転回数「Ｎ―１」に対応する情報格納エリアから検出される。即ち、ステップＳ１１では前回運転時に至るまでの累積的な運転時間が検出される。
【００３０】
ＣＰＵ２３はステップＳ１２へ移行すると、運転時間Ｔの検出結果を始点に運転時間の計測動作を開始する。そして、ステップＳ１３へ移行し、操作パネル２７からの停止指令の有無を判断する。ここで停止指令を検出したときにはステップＳ１４へ移行し、ドライブ回路１６にゲートブロック信号を出力することに基づいてインバータ主回路１４を停止させる。そして、ステップＳ１５で開閉回路３１に電源遮断信号を出力し、電磁接触器２０をトリップさせることに基づいて主電源を遮断する。
【００３１】
ＣＰＵ２３はステップＳ１５で電源遮断信号を出力すると、ステップＳ１６へ移行する。ここで運転回数Ｎの更新結果に応じた情報格納エリアに正常停止を記録し、ステップＳ１７で運転回数Ｎの更新結果に応じた情報格納エリアに現在日時をモータ２２の運転停止日時として記録し、ステップＳ１８で運転時間Ｔの計測動作を停止する。そして、ステップＳ１９で運転回数Ｎの更新結果に応じた情報格納エリアに運転時間Ｔの計測結果を記録し、ステップＳ２０で運転回数Ｎの更新結果に応じた情報格納エリアに運転状態を記録する。この運転状態とは運転停止直前のモータ２２の回転方向・周波数指令値・運転周波数値・電流信号の検出値・電圧信号の検出値を称するものであり、ＣＰＵ２３は運転状態をＥＥＰＲＯＭ２６に記録したときにはステップＳ２１へ移行する。
【００３２】
ＣＰＵ２３はステップ２１へ移行すると、運転回数Ｎの更新結果に応じた情報格納エリアから記録データを検出し、ＩＣタグ２に運転回数Ｎの更新結果および記録データの検出結果を運転情報として送信する。即ち、インバータ装置１がＳＴＯＰキー３０の操作に基づいて正常停止したときにはインバータ装置１からＩＣタグ２に運転情報として正常停止データ・運転開始日時・運転停止日時・累積的な運転時間・累積的な運転回数・正常停止時の回転方向・正常停止時の周波数指令値・正常停止時の運転周波数値・正常停止時の電流値・正常停止時の電圧値が送信される。
【００３３】
ＣＰＵ２３はステップＳ１３で停止指令がないことを検出すると、ステップＳ２２で電流検出信号の入力結果および電圧検出信号の入力結果に基づいて内部的なトリップ原因の発生の有無を判断する。このトリップ原因とは過電流・アーム短絡・モータ過負荷・過電圧に代表されるものであり、ＣＰＵ２３はステップＳ２２で内部的なトリップ原因が発生したことを検出したときにはステップＳ２４へ移行する。
【００３４】
ＣＰＵ２３はステップＳ２２で内部的なトリップ原因が存在しないことを検出すると、ステップＳ２３で外部的なトリップ原因の有無を判断する。この外部的なトリップ原因とはＩＣタグ２から送信されるノイズ情報を称するものであり、ＣＰＵ２３はステップＳ２３でＩＣタグ２からのノイズ情報を検出したときにはステップＳ２４へ移行する。尚、ノイズ情報は電波情報に相当するものである。
【００３５】
ＣＰＵ２３はステップＳ２４へ移行すると、ドライブ回路１６にゲートブロック信号を出力することに基づいてインバータ主回路１４をオフする。そして、ステップＳ２５へ移行し、開閉回路３１に電源遮断信号を出力することに基づいて電磁接触器２０をトリップさせる。
【００３６】
ＣＰＵ２３はステップＳ２５で電源遮断信号を出力すると、ステップＳ２６で表示器３２に警報信号に相当する表示信号を出力する。この表示信号はＣＰＵ２３がトリップ原因の検出結果に基づいて生成するものであり、表示器３２には表示信号に基づいてトリップ原因の検出結果がアルファベットおよび数字の組合せ符号で表示される。
【００３７】
ＣＰＵ２３はステップＳ２６でトリップ原因の検出結果を表示すると、ステップＳ２７でブザー３３に警報信号に相当する鳴動信号を出力する。この鳴動信号はブザー３３を鳴動させるものであり、使用者にはブザー３３が鳴動することに基づいてトリップの発生が音で報知される。
【００３８】
ＣＰＵ２３はステップＳ２７でブザー３３を鳴動させると、ステップＳ２８で運転回数Ｎの更新結果に応じた情報格納エリアに異常停止を記録する。そして、ステップＳ２９で運転回数Ｎの更新結果に応じた情報格納エリアにトリップ原因の検出結果を記録し、ステップＳ３０へ移行する。例えばステップＳ２２で過電流を判定したときにはトリップ原因として過電流が記録され、ステップＳ２３でＩＣタグ２からのノイズ情報を検出したときにはトリップ原因としてノイズが記録される。
【００３９】
ＣＰＵ２３はステップＳ３０へ移行すると、運転回数Ｎの更新結果に応じた情報格納エリアに現在日時をモータ２２の運転停止日時として記録し、ステップＳ３１で運転時間Ｔの計測動作を停止する。そして、ステップＳ３２で運転回数Ｎの更新結果に応じた情報格納エリアに運転時間Ｔの計測結果を記録し、ステップＳ３３で運転回数Ｎの更新結果に応じた情報格納エリアに運転状態を記録する。この運転状態とはトリップ直前のモータ２２の回転方向・周波数指令値・運転周波数値・電流信号の検出値・電圧信号の検出値を称するものであり、ＣＰＵ２３は運転状態をＥＥＰＲＯＭ２６に記録したときにはステップＳ３４へ移行する。
【００４０】
ＣＰＵ２３はステップＳ３４へ移行すると、運転回数Ｎの更新結果に応じた情報格納エリアから記録データを検出し、ＩＣタグ２に運転回数Ｎの更新結果および記録データの検出結果をトリップ情報として送信する。即ち、インバータ装置１がトリップ（異常停止）したときにはインバータ装置１からＩＣタグ２にトリップ情報として異常停止データ・トリップ原因・運転開始日時・運転停止日時・累積的な運転時間・累積的な運転回数・トリップ時の回転方向・トリップ時の周波数指令値・トリップ時の運転周波数値・トリップ時の電流値・トリップ時の電圧値が送信される。
【００４１】
ＣＰＵ２３はステップＳ３４でＩＣタグ２にトリップ情報を送信すると、ステップＳ３５で運転回数Ｎの更新結果に応じた情報格納エリアからトリップ原因を検出し、トリップ原因の検出結果をノイズと比較する。ここでトリップ原因の検出結果がノイズ以外の内部的なものであることを検出したときにはステップＳ１に復帰し、ＩＣタグ２からのノイズ情報の有無およびノイズ解消情報の有無を判断し、操作パネル２７からの運転指令を待つ。即ち、インバータ装置１が過電流・アーム短絡・モータ過負荷・過電圧等の内部的な原因でトリップしたときには使用者が表示器３２の表示内容からトリップ原因を識別し、トリップ原因の除去後に操作パネル２７のＲＵＮキー２９を操作することに基づいて運転が再開される。
【００４２】
ＣＰＵ２３はステップＳ３５でトリップ原因がノイズであることを検出すると、ステップＳ３６でノイズ解消情報の有無を判断する。このノイズ解消情報はＩＣタグ２がノイズ無しを判定することに基づいて送信するものであり、ＣＰＵ２３はステップＳ３６でノイズ解消情報を検出したときにはステップＳ３７へ移行する。
【００４３】
ＣＰＵ２３はステップＳ３７へ移行すると、開閉回路３１に電源投入信号を出力することに基づいて主電源を投入し、モータ２２の運転を再開する。即ち、ノイズが解消されたときにはＩＣタグ２からインバータ装置１にノイズ解消情報が送信され、インバータ装置１がノイズ解消情報を受信することに基づいて運転を自動的に再開する。
【００４４】
２．Ｒ／Ｗ装置３の説明
Ｒ／Ｗ装置３はＩＣタグ２にデータ要求信号を電波で無線送信するものであり、図５に示すように、アンテナ４１と情報変換回路４２と発振回路４３とＲ／Ｗ制御回路４４を有している。このＲ／Ｗ装置３は電池４５を内蔵するものであり、電池４５を電源として駆動する。
【００４５】
発振回路４３は一定周波数および一定振幅の搬送波を発振するものであり、情報変換回路４２は発振回路４３から発振される搬送波をアンテナ４１から発振する。この情報変換回路４２はＲ／Ｗ制御回路４４から出力される変調信号に基づいて搬送波を変調するものであり、搬送波の変調結果をアンテナ４１からデータ要求信号として発振する。この情報変換回路４２はアンテナ４１に流れる電流を波形整形することに基づいて復調するものであり、Ｒ／Ｗ制御回路４４は情報変換回路４２の復調結果に基づいてアンテナ４１の受信内容を認識する。このＲ／Ｗ制御回路４４はＣＰＵ・ＲＯＭ・ＲＡＭを有するものであり、受信内容の認識結果をパーソナルコンピュータ等の外部管理装置に送信する。
【００４６】
３．ＩＣタグ２の説明
ＩＣタグ２はＲ／Ｗ装置３からのデータ要求信号を受信することに基づいて運転情報の格納結果・トリップ情報の格納結果・ノイズ情報の格納結果・ノイズ解消情報の格納結果を検出し、Ｒ／Ｗ装置３に無線で送信するものであり、Ｒ／Ｗ装置３のＲ／Ｗ制御回路４４は情報変換回路４２の復調結果に基づいて運転情報〜ノイズ解消情報を認識し、外部管理装置に受信内容の認識結果として運転情報〜ノイズ解消情報を送信する。このＩＣタグ２はインバータケース１１の表面に固定されたものであり、図６に示すように、アンテナ５１と電源回路５２と電圧検出回路５３と情報変換回路５４とタグ制御回路５５と伝送回路５６とＥＥＰＲＯＭ５７を有している。このＩＣタグ２は制御電源回路３４に有線で接続されており、インバータ装置１の主電源の有効状態では制御電源回路３４が生成するタグ電源に基づいて駆動する。
【００４７】
タグ制御回路５５は電波情報送信手段，管理情報検出手段，管理情報送信手段に相当するものである。このタグ制御回路５５は伝送回路５６を介してインバータ制御回路１５に有線で双方向通信可能に接続されたものであり、インバータ制御回路１５は図３のステップＳ２１およびステップＳ３４でタグ制御回路５５に伝送回路５６を通して運転情報の検出結果およびトリップ情報の検出結果を送信する。このタグ制御回路５５はＣＰＵ・ＲＯＭ・ＲＡＭを有するものであり、タグ制御回路５５のＣＰＵはＲＯＭに記録された制御プログラムに基づいて処理動作を実行する。
【００４８】
アンテナ５１はＲ／Ｗ装置３のアンテナ４１から発振される通信用電波および通信用電波以外の周辺電波を受信するものであり、電波受信手段に相当する。電源回路５２は整流手段および電源生成手段に相当するものであり、アンテナ５１が受信する電波に基づいて直流電源を生成する。この直流電源はＩＣタグ２の駆動電源に相当するものであり、ＩＣタグ２は制御電源回路３４からのタグ電源が消滅した状態では電源回路５２が生成する直流電源に基づいて駆動する。
【００４９】
電圧検出回路５３は信号出力手段に相当するものであり、電源回路５２が生成する直流電源電圧に応じたレベルの電圧信号をタグ制御回路５５に出力し、タグ制御回路５５のＣＰＵは電圧検出回路５３からの電圧信号に基づいてノイズ検出処理を実行する。情報変換回路５４はアンテナ５１が受信する電波を復調するものであり、タグ制御回路５５は情報変換回路５４の復調結果に基づいてＲ／Ｗ装置３からのデータ要求信号を識別し、アンテナ５１を駆動することに基づいてデータ要求信号に応答する。
【００５０】
図７のフローチャートはタグ制御回路５５のＲＯＭに記録された制御プログラムを示すものであり、タグ制御回路５５のＣＰＵは主電源の有効状態では制御電源回路３４からのタグ電源に基づいて図７の制御プログラムを実行し、主電源の無効状態では電源回路５２がＲ／Ｗ装置３からの通信用電波に基づいて生成するタグ電源に基づいて図７の制御プログラムを実行する。
【００５１】
タグ制御回路５５のＣＰＵは図７のステップＳ５１へ移行すると、インバータ制御回路１５からの運転情報の有無を判断する。ここで運転情報が有ることを検出したときにはステップＳ５２へ移行する。
【００５２】
タグ制御回路５５のＥＥＰＲＯＭ５７は管理情報記録手段に相当するものであり、ＥＥＰＲＯＭ５７には、図４に示すように、複数の情報格納エリアが設定されている。これら各情報格納エリアには運転回数Ｎが割付けられており、タグ制御回路５５のＣＰＵは図７のステップＳ５２へ移行すると、運転情報の受信結果から運転回数Ｎを検出し、運転回数Ｎの検出結果に応じた情報格納エリアに運転情報の受信結果を記録する。例えば運転回数Ｎの検出結果が「２」であるときにはインバータ制御回路１５からの運転情報がＥＥＰＲＯＭ５７の情報格納エリア「２」に記録される。即ち、インバータ制御回路１５のＥＥＰＲＯＭ２６およびＩＣタグ２のＥＥＰＲＯＭ５７には共通の運転情報が保管される。
【００５３】
タグ制御回路５５のＣＰＵは図７のステップＳ５３へ移行すると、電圧検出回路５３からの電圧信号を検出する。そして、ステップＳ５４へ移行し、電圧信号の検出結果をノイズ判定値と比較する。このノイズ判定値はタグ制御回路５５のＲＯＭに予め記録されたものであり、タグ制御回路５５のＣＰＵはステップＳ５４で電圧信号の検出結果がノイズ判定値より大きいことを検出すると、ステップＳ５５でノイズ有りと判定する。このノイズ判定値はデジタルカメラ・テレビ・携帯電話等の周辺機器から発振されるノイズを識別するための境界値であり、Ｒ／Ｗ装置３のアンテナ４１からＩＣタグ２のアンテナ５１に通信用電波が発振された状態では電圧信号の検出結果がノイズ判定値を上回り、ステップＳ５５でノイズ有りと判定される。
【００５４】
タグ制御回路５５のＣＰＵはステップＳ５５でノイズ有りを判定すると、ステップＳ５６で情報送信フラグの設定状態を判断する。この情報送信フラグはノイズ情報の送信状態を示すものであり、ステップＳ５８でノイズ情報を送信することに基づいてステップＳ５９でオン状態に設定され、ステップＳ６３でノイズ解消情報を送信することに基づいてステップＳ６４でオフ状態に設定される。
【００５５】
タグ制御回路５５のＣＰＵはステップＳ５６で情報送信フラグがオフ状態に設定されていることを検出すると、ステップＳ５７でＥＥＰＲＯＭ５７にノイズの発生およびノイズの発生日時をノイズ情報として記録する。即ち、ＥＥＰＲＯＭ５７は電波情報が記録される電波情報記録手段に相当するものである。
【００５６】
タグ制御回路５５のＣＰＵはステップＳ５７でノイズ情報を記録すると、ステップＳ５８で伝送回路５６を通してインバータ制御回路１５にノイズ情報を送信し、ステップＳ５９で情報送信フラグをオンすることに基づいてノイズ情報を送信したことを記録する。すると、インバータ制御回路１５のＣＰＵ２３は図３のステップＳ２３でノイズ情報を検出し、ステップＳ２４およびステップＳ２５でゲートブロック信号および電源遮断信号を出力し、ステップＳ２６およびステップＳ２７で警報を発する。そして、ステップＳ２８〜ステップＳ３３でＥＥＰＲＯＭ２６にトリップ情報を記録し、ステップＳ３４でＩＣタグ２にトリップ情報の取得結果を送信する。
【００５７】
タグ制御回路５５のＣＰＵは図７のステップＳ６５へ移行すると、インバータ制御回路１５からのトリップ情報の有無を判断する。ここでトリップ情報を検出したときにはステップＳ６６でトリップ情報の受信結果から運転回数Ｎを検出し、運転回数Ｎの検出結果に応じた情報格納エリアにトリップ情報の受信結果を記録する。即ち、インバータ制御回路１５のＥＥＰＲＯＭ２６およびＩＣタグ２のＥＥＰＲＯＭ５７には共通のトリップ情報が保管される。
【００５８】
タグ制御回路５５のＣＰＵはステップＳ５４で電圧信号の検出結果がノイズ判定値以下であることを検出すると、ステップＳ６０でノイズ無しと判定する。そして、ステップＳ６１へ移行し、情報送信フラグの設定状態を判断する。この情報送信フラグはノイズ情報を送信することに基づいてオン状態に設定されるものであり、タグ制御回路５５のＣＰＵはノイズがノイズ情報の送信後に解消されたときにはステップＳ６１で情報送信フラグのオンを検出する。
【００５９】
タグ制御回路５５のＣＰＵはステップＳ６１で情報送信フラグのオンを検出すると、ステップＳ６２でＥＥＰＲＯＭ５７にノイズの解消およびノイズの解消日時をノイズ解消情報として記録する。即ち、ＩＣタグ２のＥＥＰＲＯＭ５７にはノイズの発生履歴およびノイズの解消履歴が残される。
【００６０】
タグ制御回路５５のＣＰＵはステップＳ６２でノイズ解消情報を記録すると、ステップＳ６３でインバータ制御回路１５に電波情報に相当するノイズ解消情報を送信し、ステップＳ６４で情報送信フラグをオフ状態にリセットする。すると、インバータ制御回路１５のＣＰＵ２３は図３のステップＳ３６でＩＣタグ２からのノイズ解消情報を検出し、ステップＳ３７でモータ２２の運転をＲＵＮキー２９の操作無しで再開する。
【００６１】
タグ制御回路５５のＣＰＵは図７のステップＳ６７へ移行すると、Ｒ／Ｗ装置３からのデータ要求信号の有無を判断する。ここでデータ要求信号が有ることを検出したときにはステップＳ６８へ移行し、ＥＥＰＲＯＭ５７から運転情報の格納結果とトリップ情報の格納結果とノイズ情報の格納結果とノイズ解消情報の格納結果を検出する。そして、ステップＳ６９へ移行し、アンテナ５１を駆動することに基づいて運転情報の検出結果〜ノイズ解消情報の検出結果をＲ／Ｗ装置３に送信する。
【００６２】
上記実施例１によれば次の効果を奏する。
Ｒ／Ｗ装置３からＩＣタグ２に通信用電波が発振されたときにはＩＣタグ２からインバータ装置１にノイズ情報を送信し、インバータ装置１がモータ２２の運転中にノイズ情報を受信したときにはゲートブロック信号および電源遮断信号を出力する構成とした。このため、インバータ装置１がＲ／Ｗ装置３の使用時に自動的に停止するようになるので、Ｒ／Ｗ装置３から発振される通信用電波の影響で誤動作することを防止できる。しかも、デジタルカメラ等の周辺機器からノイズが放出されたときにはＩＣタグ２からインバータ装置１にノイズ情報を送信し、インバータ装置１がモータ２２の運転中にノイズ情報を受信したときにはゲートブロック信号および電源遮断信号を出力する構成とした。このため、インバータ装置１が周辺機器からのノイズで自動的に停止するようになるので、周辺機器から放出されるノイズの影響で誤動作することも防止できる。
【００６３】
インバータ装置１がモータ２２の運転停止中にノイズ情報を受信したときにはＲＵＮキー２９を操作無効状態にする構成とした。このため、Ｒ／Ｗ装置３の使用状態および周辺機器からノイズが放出されている状態でＲＵＮキー２９が操作されてもインバータ装置１が運転開始されないので、この点からもインバータ装置１がノイズの影響で誤動作することを防止できる。
【００６４】
インバータ装置１がＩＣタグ２からのノイズ情報を検出することに基づいてモータ２２を運転停止させ、ＩＣタグ２からのノイズ解消情報を検出することに基づいてモータ２２を運転再開する構成としたので、Ｒ／Ｗ装置３の使用開始および使用終了に連動してモータ２２が自動的に運転停止および運転再開するようになる。このため、使用者がＲ／Ｗ装置３の使用開始および使用終了に応じてＲＵＮキー２９およびＳＴＯＰキー３０を操作する煩わしさが解消されるので、利便性が向上する。
【００６５】
ＩＣタグ２のＥＥＰＲＯＭ５７に電波情報の取得結果としてノイズ情報およびノイズ解消情報を記録した。このため、Ｒ／Ｗ装置３からＩＣタグ２にデータ要求信号を送信することに基づいてノイズ情報およびノイズ解消情報を検出することができるので、インバータ装置１のトリップ原因がノイズであるか否かを外部から識別することが可能になり、利便性が向上する。
【００６６】
インバータ制御回路１５からＩＣタグ２に運転情報およびトリップ情報を送信することに基づいてＩＣタグ２のＥＥＰＲＯＭ５７に運転情報およびトリップ情報を記録した。このため、Ｒ／Ｗ装置３からＩＣタグ２にデータ要求信号を送信することに基づいて運転情報およびトリップ情報を検出することができるので、利便性が向上する。
【００６７】
インバータ装置１の制御電源回路３４からＩＣタグ２に駆動電源を供給した。このため、インバータ装置１がトリップした状態であってもＲ／Ｗ装置３からＩＣタグ２にデータ要求信号を送信することに基づいて運転情報・トリップ情報・ノイズ情報・ノイズ解消情報を検出することができるので、利便性が向上する。
【００６８】
インバータ装置１がＩＣタグ２からのノイズ情報を検出することに基づいて電源遮断信号を出力し、電磁接触器２０をトリップさせる構成とした。このため、主電源を遮断する最も確実な保護機能をＲ／Ｗ装置３の使用時に発動させることができるので、インバータ装置１の誤動作防止の確度が高まる。
【００６９】
インバータ装置１がＩＣタグ２からのノイズ情報を検出することに基づいて表示信号および鳴動信号を外部に出力し、表示器３２およびブザー３３を駆動する構成とした。このため、使用者がＲ／Ｗ装置３を使用するときに映像および音の双方で警報が発生するので、Ｒ／Ｗ装置３の使用に伴うトリップを使用者に報知することができる。
【００７０】
上記実施例１においては、ＩＣタグ２が電圧検出回路５３からの電圧信号に基づいて電波情報としてノイズ情報およびノイズ解消情報を取得する構成としたが、これに限定されるものではなく、例えばＩＣタグ２が電圧検出回路５３からの電圧信号に基づいて電圧値そのものを電波情報として取得し、ＥＥＰＲＯＭ５７に記録する構成としても良い。この構成の場合、ＩＣタグ２からインバータ制御回路１５に電圧値の検出結果を送信し、インバータ制御回路１５が電圧値の受信結果に基づいてノイズの有無を判定し、ノイズの有無の判定結果および電圧値の受信結果の少なくとも一方をＥＥＰＲＯＭ２６に記録するようにすると良い。
【００７１】
上記実施例１においては、インバータ装置１の制御電源回路３４からＩＣタグ２に電源を供給したが、これに限定されるものではなく、例えばＩＣタグ２に電源としての電池を内蔵したり、ＩＣタグ２をＲ／Ｗ装置３から無線送信される電源のみで駆動しても良い。以下、ＩＣタグ２をＲ／Ｗ装置３から無線送信される電源のみで駆動する本発明の実施例２について説明する。
【実施例２】
【００７２】
ＩＣタグ２は、図８に示すように、アンテナ５１と電源回路５２と電圧検出回路５３と情報変換回路５４とタグ制御回路５５と伝送回路５６とＥＥＰＲＯＭ５７を有するものであり、電源回路５２が生成する直流電源のみを駆動電源とする。このＩＣタグ２はＲ／Ｗ装置３の使用時だけ駆動するものであり、タグ制御回路５５のＣＰＵは駆動時には運転情報の有無を判断せずに図９のステップＳ５３へ移行し、電圧検出回路５３からの電圧信号を検出する。そして、ステップＳ５５でノイズ有りと一義的に判定し、ステップＳ５７でＥＥＰＲＯＭ５７にノイズの発生および現在日時を記録し、ステップＳ５８でインバータ制御回路１５にノイズ情報を送信する。
【００７３】
インバータ制御回路１５のＣＰＵ２３は図１０のステップＳ１へ移行すると、ＩＣタグ２からのノイズ情報の有無を判断する。ここでノイズ情報が有ることを検出したときにはステップＳ２でノイズフラグをオンし、ノイズ情報がないことを検出したときにはステップＳ４でノイズフラグをオフする。即ち、Ｒ／Ｗ装置３の使用状態でＲＵＮキー２９が操作されたときにはステップＳ６でノイズフラグのオンが検出されることに基づいてインバータ装置１が停止状態に保持され、Ｒ／Ｗ装置３の非使用状態でＲＵＮキー２９が操作されたときにはステップＳ６でノイズフラグのオフが検出されることに基づいてインバータ装置１が運転開始される。
【００７４】
インバータ制御回路１５のＣＰＵ２３はステップＳ２３でＩＣタグ２からのノイズ情報を受信すると、ステップＳ２４〜ステップ２５でモータ２２を運転停止する。そして、ステップＳ２６〜ステップＳ２７でトリップの発生を使用者に報知し、ステップＳ２８〜ステップＳ３３でトリップ情報をＥＥＰＲＯＭ２６に記録する。
【００７５】
インバータ制御回路１５のＣＰＵ２３はステップＳ３３からステップＳ３５へ移行すると、トリップ原因の検出結果をノイズと比較する。この場合にはトリップ原因がノイズであると判断し、ステップＳ３８でＩＣタグ２からのノイズ情報の有無を判断する。例えばＲ／Ｗ装置３の発振動作が停止したときにはＩＣタグ２が駆動停止し、ＩＣタグ２からのノイズ情報が消滅する。この場合、インバータ制御回路１５のＣＰＵ２３はステップＳ３８でＩＣタグ２からのノイズ情報が消滅したと判断し、ステップＳ３７でモータ２２の運転を再開する。即ち、インバータ装置１はＲ／Ｗ装置３の使用開始および使用停止に連動して自動的にモータ２２を運転停止および運転再開するものである。
【００７６】
インバータ制御回路１５のＣＰＵ２３は図１０のステップＳ１３で操作パネル２７からの停止指令を検出したときにはステップＳ１６〜ステップＳ２０を実行し、ＥＥＰＲＯＭ２６に運転情報を記録する。また、ステップＳ２２で内部的なトリップ原因を検出したときにはステップＳ２８〜ステップＳ３３を実行することに基づいてＥＥＰＲＯＭ２６にトリップ情報を記録する。即ち、インバータ装置１は運転情報の取得結果およびトリップ情報の取得結果をＩＣタグ２に送信せず、ＥＥＰＲＯＭ２６に格納する。従って、ＩＣタグ２のＥＥＰＲＯＭ５７には自ら取得したノイズ情報だけが格納され、タグ制御回路５５のＣＰＵは図９のステップＳ６７でＲ／Ｗ装置３からのデータ要求信号を受信したときにはステップＳ６８でＥＥＰＲＯＭ５７からノイズ情報を検出し、ステップＳ６９でＲ／Ｗ装置３にノイズ情報を送信する。
【００７７】
上記実施例２によれば、Ｒ／Ｗ装置３から発振される通信用電波をＩＣタグ２で整流し、ＩＣタグ２の駆動電源をインバータ装置１とは別経路で得る構成とした。このため、インバータ装置１の主電源が無効化された状態および遮断された状態であってもＲ／Ｗ装置３からＩＣタグ２にデータ要求信号を送信することに基づいてノイズ情報を検出することができるので、利便性が向上する。
【００７８】
上記実施例２においては、ＩＣタグ２が電圧検出回路５３からの電圧信号に基づいて電波情報としてノイズ情報を取得する構成としたが、これに限定されるものではなく、例えばＩＣタグ２が電圧検出回路５３からの電圧信号に基づいて電圧値そのものを電波情報として取得し、ＥＥＰＲＯＭ５７に記録する構成としても良い。この構成の場合、ＩＣタグ２からインバータ制御回路１５に電圧値の検出結果を送信し、インバータ制御回路１５が電圧値の受信結果に基づいてノイズの有無を判定し、ノイズの有無の判定結果および電圧値の受信結果の少なくとも一方をＥＥＰＲＯＭ２６に記録するようにすると良い。
【００７９】
上記実施例１〜実施例２においては、ＩＣタグ２がノイズ検出処理を行う構成としたが、これに限定されるものではなく、例えばインバータ制御回路１５がノイズ検出処理を行う構成としても良い。以下、ノイズ検出機能をインバータ制御回路１５に分担した本発明の実施例３について説明する。
【実施例３】
【００８０】
ＩＣタグ２は、図１１に示すように、アンテナ５１と電源回路５２と電圧検出回路５３と情報変換回路５４を有するものであり、電圧検出回路５３および情報変換回路５４はインバータ制御回路１５に有線で接続されている。このＩＣタグ２はインバータ装置１の制御電源回路３４が生成するタグ電源に基づいて駆動するものであり、インバータ制御回路１５のＣＰＵ２３は図１２のステップＳ３９で電圧検出回路５３からの電圧信号を検出し、ステップＳ４０で電圧信号の検出結果をＲＯＭ２４に予め記録されたノイズ判定値と比較する。ここで電圧信号の検出結果がノイズ判定値より大きいことを検出したときにはステップＳ２でノイズフラグをオンし、電圧信号の検出結果がノイズ判定値以下であることを検出したときにはステップＳ４でノイズフラグをオフする。即ち、ＲＵＮキー２９はＲ／Ｗ装置３の非使用時に有効化され、Ｒ／Ｗ装置３の使用時に無効化される。
【００８１】
インバータ制御回路１５のＣＰＵ２３はステップＳ２２で内部的なトリップ原因が存在しないことを検出すると、ステップＳ４１で電圧検出回路５３からの電圧信号を検出し、ステップＳ４２で電圧信号の検出結果をノイズ判定値と比較する。ここで電圧信号の検出結果がノイズ判定値以下であることを検出したときにはステップＳ４３でノイズ無しと判定し、電圧信号の検出結果がノイズ判定値より大きいことを検出したときにはステップＳ４４でノイズ有りと判定する。即ち、インバータ制御回路１５はアンテナ５１の受信結果に基づいて電波情報を取得する電波情報取得手段に相当するものである。
【００８２】
インバータ制御回路１５のＣＰＵ２３はステップＳ４４でノイズ有りと判定すると、ステップＳ２４〜ステップＳ２５でモータ２２を運転停止する。そして、ステップＳ２６〜ステップＳ２７でトリップの発生を使用者に報知し、ステップＳ２８〜ステップＳ３３でトリップ情報をＥＥＰＲＯＭ２６に記録する。このインバータ制御回路１５のＣＰＵ２３は無線通信機能を有しており、情報変換回路５４の復調結果に基づいてＲ／Ｗ装置３からのデータ要求信号を検出したときにはＥＥＰＲＯＭ２６から運転情報の格納結果およびトリップ情報の格納結果を検出し、ＩＣタグ２のアンテナ５１から運転情報の検出結果およびトリップ情報の検出結果をＲ／Ｗ装置３に送信する。尚、インバータ制御回路１５は電波情報送信手段および管理情報送信手段に相当するものであり、ＥＥＰＲＯＭ２６は電波情報記録手段および管理情報記録手段に相当するものである。
【００８３】
インバータ制御回路１５のＣＰＵ２３はステップＳ３５でトリップ原因がノイズであることを検出すると、ステップＳ４５で電圧検出回路５３からの電圧信号を検出し、ステップＳ４６で電圧信号の検出結果をノイズ判定値と比較する。ここで電圧信号の検出結果がノイズ判定値以下であることを検出したときにはステップＳ３７へ移行し、主電源を投入することに基づいてモータ２２の運転を再開する。即ち、インバータ装置１はＲ／Ｗ装置３の使用開始および使用停止に連動して自動的に運転停止および運転再開するものである。
【００８４】
上記実施例１〜実施例３においては、インバータ制御回路１５が表示器３２にトリップ原因を表示することに基づいてトリップの発生を映像で報知し、ブザー３３を鳴動させることに基づいてトリップの発生を音で報知する構成としたが、これに限定されるものではなく、例えばＬＥＤ等の光源を発光させることに基づいてトリップの発生を光で報知する構成としても良い。
【００８５】
上記実施例１〜実施例３においては、インバータ装置１としてモータ２２を駆動制御するものを例示したが、これに限定されるものではなく、例えば照明器具の光源を駆動制御するものであっても良い。
【００８６】
上記実施例１〜実施例３においては、ＩＣタグ２をインバータケース１１の表面に固定したが、これに限定されるものではなく、例えばインバータケース１１の内部に収納しても良い。この場合、インバータケース１１に窓部を設け、ＩＣタグ２のアンテナ５１が窓部を介して電波の送受信を行う構成にすると良い。
【００８７】
上記実施例１〜実施例３においては、タグ制御回路５５またはインバータ制御回路１５が電圧検出回路５３からの電圧信号に基づいてノイズの有無を判定する構成としたが、これに限定されるものではなく、例えば電波の強度を検出する構成としても良い。
【００８８】
上記実施例１〜実施例３においては、Ｒ／Ｗ装置３の使用時にインバータ装置１を運転停止およびトリップさせる構成としたが、これに限定されるものではなく、例えば運転停止またはトリップさせる構成としても良い。
【００８９】
上記実施例１〜実施例３においては、ＩＣタグ２のアンテナ５１と電源回路５２との間に電気的なフィルタを介在し、特定周波数帯域の電波だけをフィルタを通して電源回路５２に供給する構成としても良い。この構成の場合、フィルタを通して電源回路５２に供給される特定周波数帯域の電波だけに基づいてノイズの検出処理が行われる。
【符号の説明】
【００９０】
１はインバータ装置（電子機器）、２はＩＣタグ（無線通信装置）、３はＲ／Ｗ装置（無線通信機器）、１５はインバータ制御回路（運転制御手段，電力供給遮断手段，外部信号出力手段，電波情報送信手段，管理情報送信手段）、２２はモータ（負荷）、２６はＥＥＰＲＯＭ（電波情報記録手段，管理情報記録手段）、５１はアンテナ、５２は電源回路（電源生成手段）、５３は電圧検出回路（信号出力手段）、５５はタグ制御回路（電波情報送信手段，管理情報検出手段，管理情報送信手段）、５７はＥＥＰＲＯＭ（電波情報記録手段，管理情報記録手段）を示している。
【図１】
2011072187.tif 000003
【図２】
2011072187.tif 000004
【図３】
2011072187.tif 000005
【図４】
2011072187.tif 000006
【図５】
2011072187.tif 000007
【図６】
2011072187.tif 000008
【図７】
2011072187.tif 000009
【図８】
2011072187.tif 000010
【図９】
2011072187.tif 000011
【図１０】
2011072187.tif 000012
【図１１】
2011072187.tif 000013
【図１２】
2011072187.tif 000014